(57)【要約】【課題】防音性能を簡単に付与することができると共に、外観を向上することができる簡易屋根を提供する。【解決手段】屋根材４の下面にその湾曲方向に沿って帯状の樹脂製シート５を貼着すると共に、その樹脂製シート５にカバー材９を被せて、前記カバー材９は樹脂製シート５を覆う基板部９１の両側端より脚部９２を上方に突出させ、該脚部９２を屋根材４の裏面側に形成された溝部４３に挿入するようにすれば、屋根材４の下面に貼着した樹脂製シート５を覆い隠すことにより、簡易屋根Ｐの外観を向上させることができると共に、樹脂製シート５に太陽光が直接照射されないよう保護することができるため、樹脂製シート５の劣化を防止でき、もって騒音低減作用を長期にわたり継続させ得るものとなすことができる。【選択図】        図６
2008150920.tif 000002
【特許請求の範囲】
【請求項１】
地表に立設された複数の支柱と、この支柱の上端に取付られた主梁と、この主梁に取着された母屋と、この母屋間に架け渡された屋根材とからなる簡易屋根において、前記屋根材を湾曲状に形成すると共に、前記屋根材の湾曲方向に沿って、制振性能を有する樹脂製シートを前記屋根材の下面に貼着してなることを特徴とする簡易屋根。
【請求項２】
屋根材の下面にその湾曲方向に沿って帯状の樹脂製シートが貼着されると共に、その樹脂製シートにカバー材が被せられ、前記カバー材は樹脂製シートを覆う基板部の両側端より脚部が上方に突出され、該脚部が屋根材の裏面側に形成された溝部に挿入されていることを特徴とする請求項１に記載の簡易屋根。
【発明の詳細な説明】
【技術分野】
【０００１】
本発明は、自転車置き場等に用いられる簡易屋根に関するものである。
【背景技術】
【０００２】
従来、屋根材としては種々の材料が用いられているが、鋼板製屋根材が用いられる場合があり、この場合、鋼板製屋根材単独では十分な遮音性能を得ることは難しく、特に雨音を遮音することはできなかった。上記鋼板製屋根材に遮音性能を付与するための方策として、例えば特許文献１には、以下のような屋根が開示されている。
すなわち、この屋根は上下二枚の鋼板製の折板屋根材間に断熱材を充填すると共に、断熱性連結具で連結し、下部折板屋根材と母屋又は梁との間に、グラスウール、スチロールなどの吸音性断熱材を配置し、さらに前記下部折板屋根材と前記吸音性断熱材との間に空気層を形成したものである。
【０００３】
【特許文献１】実公平９−４０５７２号公報
【発明の開示】
【発明が解決しようとする課題】
【０００４】
しかしながら、上述の如き屋根においては、上下二枚の鋼板製折板屋根材の間に断熱材を充填すると共に、下部折板屋根材と母屋又は梁との間に、吸音性断熱材を配置しているため、屋根の防音性能は得られるものの、構造が複雑になり、大掛かりな組立作業とならざるを得ず、自転車置き場等の簡易屋根に適用するにはコスト面においても引き合わないものであった。
【０００５】
そこで本発明は上記の如き問題点を解消し、防音性能を簡単に付与することができると共に、外観を向上することができる簡易屋根を提供せんとするものである。
【課題を解決するための手段】
【０００６】
上記目的を達成するために、本発明は次のような構成としている。すなわち、本発明に係る簡易屋根は、地表に立設された複数の支柱と、この支柱の上端に取付られた主梁と、この主梁に取着された母屋と、この母屋間に架け渡された屋根材とからなる簡易屋根において、前記屋根材を湾曲状に形成すると共に、前記屋根材の湾曲方向に沿って、制振性能を有する樹脂製シートを前記屋根材の下面に貼着してなることを特徴とするものである。
【発明の効果】
【０００７】
本発明によれば、屋根材を湾曲状に形成すると共に、前記屋根材の湾曲方向に沿って、制振性能を有する樹脂製シートを前記屋根材の下面に貼着すれば、屋根材を湾曲形状となすことにより、平坦状の屋根材に比べ振動の発生が抑制できるので、雨滴による騒音を低減することができると共に、湾曲形状の湾曲方向に沿って貼着された樹脂製シートとにより、振動が効果的に低減され、これによって雨滴による騒音も低減されて、簡単に屋根材に防音性能を付与することができる。また、新設の簡易屋根のみならず、既設の簡易屋根の屋根材にも樹脂製シートを貼着するだけで、簡単に防音性能を具備した簡易屋根となすことができる。
【０００８】
また本発明において、屋根材の下面にその湾曲方向に沿って帯状の樹脂製シートを貼着すると共に、その樹脂製シートにカバー材を被せて、前記カバー材は樹脂製シートを覆う基板部の両側端より脚部を上方に突出させ、該脚部を屋根材の裏面側に形成された溝部に挿入するようにしてもよい。かようにすれば、屋根材の下面に貼着した樹脂製シートを覆い隠すことにより、簡易屋根の外観を向上させることができると共に、樹脂製シートに太陽光が直接照射されないよう保護することができるため、樹脂製シートの劣化を防止でき、もって騒音低減作用を長期にわたり継続させ得るものとなすことができる。
【発明を実施するための最良の形態】
【０００９】
本発明に係る実施の形態について、図面に基づき以下に具体的に説明する。
図１は本発明に係る簡易屋根の実施の一形態を示す図面であって、（イ）は一部切欠の平面図、（ロ）は正面図、（ハ）は側面図である。また、図２は図１に示す実施形態の基端部の拡大側面図である。また、図３及び４は本発明に係る簡易屋根の実施の別の形態を示す図面であって、それぞれ（イ）は一部切欠の平面図、（ロ）は正面図、（ハ）は側面図である。また、図５は本発明に係る簡易屋根の更に別の実施形態を示すものであって、屋根材の部分断面図である。また、図６は図５の部分拡大図である。また、図７は本発明に係る更に別の実施形態を示すものであって、屋根材の断面拡大図である。また、図８は本発明に係る簡易屋根の騒音低減効果を示すものである。
【００１０】
まず、図１、図２の形態について説明する。
１は下部が地中に埋設され、適宜間隔をおいて立設された３本の支柱、２は各々の支柱１の上端に後述する保持具６を介して取付けられた主梁、３は３本の主梁２の両端と中央に架け渡して取付けられた３本の母屋、４は３本の母屋３間に架け渡された屋根材である。そして、この屋根材４の下面には、制振性能を有する樹脂製シート５が貼着されて、簡易屋根が構成されている。
【００１１】
支柱１は円形の鋼管を適宜長さに切断して作製され、その上端部１１には、後述する保持具６を介して主梁２を取付けるためのボルト孔Ａ１が側壁１２を貫通して穿設され、側壁１２の適宜箇所に縦樋７を取付けるための取付具７１が取付られている。支柱１の材質は前記した鋼管に限るものではなく、アルミ合金押出型材等であってもよいが、強度的に安定でコストの安い鋼管が好適に用いられる。
【００１２】
主梁２は円形の鋼管を円弧状に湾曲して作製され、主梁２の基端部２１を保持すると共に支柱１の上端部１１をも保持する保持具６を介して支柱１上端に取付けるためのボルト孔Ａ２が側壁２２を貫通して穿設されている。そして、主梁２の先端部２３上面と基端部２１上面と中央部２４上面には、それぞれ母屋３を取着するための略Ｌ字型受け金具Ｋ１が取付けられている。尚、主梁２の材質は前記した鋼管に限るものではなく、アルミ合金押出型材などでもよいが、強度的に安定でコストの安い鋼管が好適に用いられる。
【００１３】
母屋３は矩形の鋼管を適宜長さに切断して作製され、その相対する一対の側面３１には横方向に通孔Ａ３が穿設され、その通孔Ａ３と略Ｌ字型受け金具Ｋ１とにボルトを挿通して締着され、主梁２の上下方向に穿設された取付孔Ａ４と略Ｌ字型受け具Ｋ１とに別のボルトを挿通して締着され、母屋３と主梁２とが固定されている。勿論、母屋３の材質は前記した鋼管に限るものではなく、アルミ合金押出型材などでもよいが、強度的に安定でコストの安い鋼管を用いるのが好ましい。
【００１４】
母屋３間に架け渡された屋根材４は、円弧状に湾曲した主梁２と略同じ曲率で湾曲状に形成されて、上方よりタッピングビスやボルト等を螺着して、３本の母屋３上面に固定されている。屋根材４は、長方形の金属板を長辺方向に湾曲させると共に、短辺の両端に大きな突条４１を２個長辺方向に形成し、また短辺の中央に等間隔に小さな突条４１を２個長辺方向に形成した屋根材本体４２を、隣接する屋根材本体４２の端部に形成した大きな突条４１同士を重ね合せて、複数の屋根材本体４２から形成されている。これは平板金属板に比べ強度を向上させることができると共に、屋根材４を順次その端部に形成した大きな突条４１同士を重ね合わせて施工できるので、簡易屋根の幅違いに対応し易い構造となされている。また、主梁２の基端部２１側の屋根材４の下方には、屋根材４から滴り落ちる雨水を受ける横樋８が支持金具Ｋ２に支持されて、基端部２１側の母屋３に取付けられている。
【００１５】
保持具６は、主梁２を受ける部分と支柱１に当接する部分を供えた左右勝手違いの２個の板材からなり、その２個の板材をもって支柱１と主梁２とを左右から挟み、保持具６の側面をボルト・ナットで挟着することにより、支柱１の上端部１１に主梁２の基端部２１を固定している。従って、保持具６の内面は、それぞれ支柱１と主梁２の外形である円柱形に当接するように半円形状に形成されると共に、側面視で逆Ｌ字型に形成されている。また、保持具６の強度を向上させるため、保持具６の支柱１を保持する部分から主梁２を保持する部分にわたり、平担状の補強板部６１が、支柱１及び主梁２とを左右から挟んだ際に、補強板部６１が当接するように一体的に設けられている。
【００１６】
樹脂製シート５は、制振性能を有するものであれば特に限定されるものではなく、ゴム又は熱可塑性エラストマー、熱可塑性樹脂及び無機粉体を含有する樹脂組成物からなるシート等の樹脂製シートが用いられる。
【００１７】
上記ゴムとしては、例えば、ブチルゴム、ウレタンゴム、シリコンゴム、スチレン−イソプレンブロック共重合体、ＥＰＤＭ等が挙げられ、加硫の有無に係わらず使用可能である。上記熱可塑性エラストマーとしては、例えば、イソプレン系、オレフィン系、エステル系等のエラストマーが挙げられる。これらの中で、特にスチレン−イソプレンブロック共重合体が好適に用いられる。
【００１８】
上記熱可塑性樹脂としては、例えば、エチレン−酢酸ビニル共重合体、ポリオレフィン、塩化ビニル樹脂、ポリエステル等が挙げられる。特に、これらの中でエチレン−酢酸ビニル共重合体が好ましい。
【００１９】
上記無機粉体としては、例えば、酸化鉄、酸化チタン、酸化マグネシウム等の金属酸化物、粒子状金属、クレー、タルク、マイカ、石英粉等の鉱物系粉砕物の他、ガラス繊維、ガラス粉、炭酸カルシウム、石膏等が挙げられる。これらの中で、特に制振特性とコストの点から、マイカ、炭酸カルシウムが好ましい。
【００２０】
上記樹脂組成物には、必要に応じて、熱安定剤、耐侯性改良剤、滑剤、加工助剤、顔料、着色剤などが配合されてもよい。
【００２１】
上記樹脂製シート５の厚みは、樹脂組成物、制振性能等によって適宜決定されるが、通常１０ｍｍ以下が好ましく、より好ましくは２ｍｍ以下である。
【００２２】
上記樹脂製シート５を屋根材４の下面に貼着する際に用いられる接着剤としては、例えば、ゴム系の溶剤型接着剤、二液型のエポキシ接着剤、ウレタン接着剤等が使用可能であるが、特に、これらの中で制振性能を付与できるクロロプレン系ゴムの溶剤型接着剤が好ましい。そして、その接着剤を屋根材４の下面に塗り、樹脂製シート５をその上から貼着する。勿論、樹脂製シート５の形成時に、同時にその片面に接着層を一体的に形成しておき、屋根材４の下面に接着層が形成された面を押し付け貼着するようにしてもよい。
【００２３】
なお、本発明においては、前記樹脂製シート５は湾曲状に形成された屋根材４の湾曲方向に沿って、該屋根材４の下面に貼着されている。かようにして、屋根材４を湾曲形状となすことにより、平坦状の屋根材に比べ振動の発生が抑制できるので、雨滴による騒音を低減することができると共に、湾曲形状の湾曲方向に沿って貼着された樹脂製シート５とにより、振動が効果的に低減され、これによって雨滴による騒音も低減されて、簡単に屋根材に防音性能を付与することができる。また、新設の簡易屋根のみならず、既設の簡易屋根の屋根材にも樹脂製シート５を貼着するだけで、簡単に防音性能を具備した簡易屋根を形成することができる。
【００２４】
以下図３、４を用いて、図１に示す形態と異なる形態について説明するが、特に図１の形態と異なる点を説明し、他の点については図１の形態とほぼ同様であるのでその説明は省略する。
【００２５】
図３に示された形態において、保持具６は、図１及び図２に示す形態と同様に、主梁２を受ける半円形状の部分と支柱１に当接する半円形状の部分を供えた左右勝手違いの２個の板材からなり、その板材をもって支柱１と主梁２とを左右から挟み、側面をボルト・ナットで挟着するようになされているが、主梁２はその中央部２４において支柱１の上端部１１に固定されるようにされているので、保持具６の形状は側面視で逆Ｌ字型ではなくＴ字型に形成され、補強板部６１は左右両側に設けられている。
【００２６】
図４に示された形態において、支柱１は主梁２の先端部２３と基端部２１とを保持するよう、前後に２本づつ、左右に３箇所、計６本設置されている。そして、主梁２の先端部２３を保持する保持具６Ａは、取付孔が穿設された２個のＴ字型平板を対向させて、支柱１と主梁２とを左右から挟み、ボルト・ナットで挟着して、支柱１の上端部１１に主梁２を固定するもので、補強板部６１を備えていない。また、主梁２の基端部２１を保持する保持具６Ｂは、取付孔が穿設された２枚の逆Ｌ字型平板を対向させて、支柱１と主梁２とを左右から挟み、ボルト・ナットで挟着して、支柱１の上端部１１に主梁２を固定するもので、主梁２の先端部２３を保持する保持具６Ａ同様、補強板部６１を備えていない。これは、本形態においては、主梁２の先端部２３と基端部２１を２本の支柱１で支持しているため、荷重が分散され、図１、３に示す所謂片持ち梁の形態に比べ、保持具６の強度を低くすることができるためである。
【００２７】
図１〜４に示す形態において、屋根材４の突条４１間に形成された平坦部４３のうち、最も振動を受ける中央の平坦部４３にのみ樹脂製シート５を貼着しているが、特にこの形態に限定されるものではなく、平坦部４３すべてに貼着してもよい。
【００２８】
また、母屋３と屋根材４とが当接するのを防ぐように、母屋３の上面に前記樹脂製シート５を貼着して、その上に屋根材４を架け渡すようにすれば、雨滴等によって屋根材４にかかる振動を更に効果的に低減でき、これによって簡易屋根の騒音低減効果を更に向上させることができる。
【００２９】
次に図５、図６に示す形態について説明する。９は断面コ字状のカバー材であって、樹脂製シート５を覆う基板部９１の両側端より脚部９２が上方に突出されて形成されており、屋根材本体４２を表面側に折り曲げて形成した突条４１の裏面側に形成された溝部４４に、カバー材９の脚部９２が挿入されて構成されている。そして、屋根材本体４２の平坦部４３下面にその湾曲方向に沿って貼着した制振性を有する帯状の樹脂製シート５の下方から、樹脂製シート５に添うように、樹脂製シート５の両側端に沿って両面粘着テープ１０を貼着し、カバー材９を屋根材本体４２に貼り付けて固定する。
【００３０】
次に図７に示す形態について説明する。図６に示す形態と同じく、基板部９１の両側端より脚部９２が上方に突出されて形成された断面コ字状のカバー材９によって樹脂製シート５が覆うように、屋根材本体４２を表面側に折り曲げて形成した突条４１の裏面側に形成された溝部４４に、カバー材９の脚部９２が挿入されて構成されている。図６に示す形態と異なる点は、制振性を有する樹脂製シート５の下面に貼着された両面粘着テープ１０により、樹脂製シート５とカバー材９とが直接貼り付けられている点である。
【００３１】
ここで、制振性を向上させる上で、カバー材９が樹脂製シート５に密着している方が好ましく、上記如く、図５、図６に示す形態においては、樹脂製シート５にカバー材９が添うように、樹脂製シート５の両側に両面粘着テープ１０が貼着されており、また図６に示す形態においては、樹脂製シート５の下面に両面粘着テープ１０が貼着されてカバー材９が樹脂製シート５と密着され、いづれの実施形態においても制振性を向上させるようになされている。
【００３２】
勿論言うまでもなく、カバー材９を屋根材本体４２の下面に固定する方法としては、両面粘着テープ１０に限定されたものでなく、タッピングビスを用いて螺着する等してもよいが、その場合は屋根材本体４２に貫通孔が開くため、シーリング材等で止水して、雨水が屋根材本体４２の下面側に浸入しないようにする必要がある。かようにして、屋根材本体４２の下面に貼着した樹脂製シート５を覆い隠すことにより、簡易屋根の外観を向上させることができると共に、樹脂製シート５に太陽光が直接照射されないよう保護することができるため、樹脂製シート５の劣化を防止でき、もって騒音低減作用を長期にわたり継続させ得るものとなすことができる。
【００３３】
図５、図６、図７に示す形態は、金属板の屋根材本体４２と金属板のカバー材９との間に制振性を有する帯状の樹脂製シート５を積層させたものであるから、所謂、制振鋼板の如き制振効果が発揮されると共に、屋根材４全体に制振鋼板を用いた場合のコスト高の問題を解消することができ、更には、既設の簡易屋根に後付けで制振機能を付加できるという利点がある。
【実施例】
【００３４】
次に、図８に示す本発明に係る簡易屋根の騒音低減効果を説明する。
実施例として、間隔をおいて載置した２個の主梁２に架け渡した３個の母屋３の上に、図１〜４の実施形態に示す屋根材本体４２を２個、その端部に形成した大きな突条４１同士を重ね合わせて固定したものを作成した。
【００３５】
すなわち、円弧状に湾曲した主梁２と略同じ曲率で、厚み０．５ｍｍの長方形の鋼板を長辺方向に湾曲させると共に、短辺の両端に大きな突条４１を２個長辺方向に形成し、また短辺の中央に等間隔に小さな突条４１を２個長辺方向に形成し、略同幅の平坦部４３を３個形成して、幅３０３ｍｍ、奥行き２０００ｍｍとなるように形成した屋根材本体４２を２個、その端部に形成した大きな突条４１，４１を重ね合わせてタッピングビスを螺着して３本の母屋３上面に固定した。そして、屋根材本体４２に形成した３個の平坦部４３のうち、中央の平坦部４３に樹脂製シート５を貼着した。樹脂製シート５としては、帯状のポリオレフィン系合成樹脂製の積水化学工業（株）製・ビブレス  ルーフシート（幅５０ｍｍ、厚み１ｍｍ）を用いて、屋根材本体４２の平坦部４３下面側に湾曲方向に略端から端まで貼着した。比較例としては、前記屋根材本体４２に樹脂製シート５を貼着しないものを用いて、人工降雨装置を用いて、両者に降雨させた際の騒音を測定した。
【００３６】
測定条件は、高さ２ｍに設置した人工降雨装置から地面に設置した屋根材本体４２に人工雨を、吐出圧０．０４ＭＰａ、降雨強度１１７ｍｍ／時間で降雨させ、屋根材本体４２から１ｍ離れた位置に分析器内蔵騒音計（リオン（株）製、型番ＮＡ２７Ａ）を配置し、騒音測定を実施した。
【００３７】
横軸が周波数、縦軸が騒音レベルを表している図８に示す通り、実施例と比較例では、特に１０００Ｈｚ〜４０００Ｈｚと言う耳障りな高周波数域での騒音低減効果に顕著な差異が見られ、実施例においては人工雨により発生する騒音が低減されていることが分かる。
【００３８】
また上記測定結果によれば、屋根材本体４２に形成した３個の平坦部４３のうち、中央の平坦部４３のみに樹脂製シート５を貼着すれば、屋根材本体４２全体の振動発生を低減できることが理解できるが、全ての平坦部４３に制振性能を有する樹脂製シート５を貼着してもよく、また中央に変えて左右のいずれか一方の平坦部４３に貼着しても、上記騒音低減効果はそれなりに期待される。
【００３９】
なお、本発明は自転車置き場の屋根材として好適に用いられるが、これに限定されたものではなく、通路シェルターやバス停の屋根材等としても用いることができる。
【産業上の利用可能性】
【００４０】
本発明に係る簡易屋根は、屋根材を湾曲状に形成すると共に、前記屋根材の湾曲方向に沿って、制振性能を有する樹脂製シートを前記屋根材の下面に貼着するだけで、屋根材の湾曲形状と、該湾曲形状の湾曲方向に沿って貼着された樹脂製シートとにより、振動が効果的に低減され、これによって雨滴による騒音も低減され、簡単に屋根材に防音性能を付与することができる簡易屋根として好適に用いることができる。
【図面の簡単な説明】
【００４１】
【図１】本発明に係る簡易屋根の実施の一形態を示す図面であって、（イ）は一部切欠の平面図、（ロ）は正面図、（ハ）は側面図である。
【図２】図１に示す実施形態の基端部の拡大側面図である。
【図３】本発明に係る簡易屋根の実施の別の形態を示す図面であって、それぞれ（イ）は一部切欠の平面図、（ロ）は正面図、（ハ）は側面図である。
【図４】本発明に係る簡易屋根の実施の別の形態を示す図面であって、それぞれ（イ）は一部切欠の平面図、（ロ）は正面図、（ハ）は側面図である。
【図５】本発明にかかる簡易屋根の更に別の実施形態を示すものであって、屋根材近傍を示す断面図である。
【図６】図５の部分拡大図である。
【図７】本発明に係る更に別の実施形態を示すものであって、屋根材近傍を示す断面の拡大図である。
【図８】本発明に係る簡易屋根の騒音低減効果を示すものである。
【符号の説明】
【００４２】
１      支柱
１１    上端部
１２    側壁
２      主梁
２１    基端部
２２    側壁
２３    先端部
２４    中央部
３      母屋
３１    側面
４      屋根材
４１    突条
４２    屋根材本体
４３    平坦部
４４    溝部
５      樹脂製シート
６      保持具
６１    補強板部
７      縦樋
７１    取付具
８      横樋
９      カバー材
９１    基板部
９２    脚部
１０    両面粘着テープ
【図１】
2008150920.tif 000003
【図２】
2008150920.tif 000004
【図３】
2008150920.tif 000005
【図４】
2008150920.tif 000006
【図５】
2008150920.tif 000007
【図６】
2008150920.tif 000008
【図７】
2008150920.tif 000009
【図８】
2008150920.tif 000010